(57)【要約】【課題】使用中においても必要な場合には、逆転防止機構の逆転防止機能を解除して音が発生しないようにすることができる、逆転防止機構付きのと膜転写具具を提供する。【解決手段】ケース１内に、供給側ギヤ２９と一体に回転する供給リール４９と、供給側ギヤと噛合うギヤ６５を備えた巻上げリール５７とを設ける。ラチェット１１を供給リールと同心に配置し、ラチェットの歯を備えた円環部１３を供給側ギヤの下側に、その軸部１７の先端をケースの外部へ僅かに突出させる。供給側ギヤのリブ１５から円周方向に伸びる、先端に爪部４７を備えたアーム４５からなる係止部材を設ける。ラチェットの軸部内部にバネ２３を配置し、ラチェットを上向きに付勢して係止爪に係合させる。軸部を下方に押すことにより、係止爪はラチェットとの係合から外れる。【選択図】  図１
2005081725.tif 000002
【特許請求の範囲】
【請求項１】
ケースと、該ケース内に回動可能に支承されたテープ供給リールと、前記ケース内に回動可能に支承され、前記テープ供給リールに連動して回動するテープ巻取りリールと、前記テープ供給リールとテープ巻取りリールとの少なくともいずれか一方に関連して設けられ、該リールの正転を許容し、逆転を阻止する逆転防止機構とを備えた塗膜転写具において、さらに、前記逆転防止機構の逆転防止機能を解除する逆転防止機能解除手段を備えていることを特徴とする、塗膜転写具。
【請求項２】
請求項１記載の塗膜転写具において、前記逆転防止機構は、ラチェットと、該ラチェットに係合する弾性変位可能な係止部材とからなることを特徴とする、塗膜転写具。
【請求項３】
請求項２記載の塗膜転写具において、前記逆転防止機能解除手段は、前記ラチェットと前記係止爪との少なくともいずれか一方を、前記ラチェットと前記係止部材とが係合可能な第１の位置と、前記ラチェットと前記係止部材とが係合不能な第２の位置との間で移動可能とすることを特徴とする、塗膜転写具。
【請求項４】
請求項３記載の塗膜転写具において、前記ラチェットの歯は、該ラチェットの側面上に該側面に対して垂直な方向に突出して形成され、前記係止部材の係止爪は、前記ラチェットの側面に向かって突出し、前記逆転防止機能解除手段は、前記ラチェットと前記係止部材の少なくともいずれか一方を、前記ラチェットの側面に対して垂直な方向に移動可能とすることを特徴とする、塗膜転写具。
【請求項５】
請求項４記載の塗膜転写具において、前記ラチェットと前記係止部材のいずれか一方が前記リールと一体回転可能に設けられ、他方が非回転状態で、前記ラチェットの側面に垂直方向に移動可能に設けられ、前記リールは軸方向移動はせず、前記他方は常時は付勢手段により前記第１の位置へ位置付けられ、前記ケースの外側から操作することにより前記付勢手段に抗して前記第２の位置へ移動可能であることを特徴とする、塗膜転写具。
【請求項６】
請求項５記載の塗膜転写具において、前記他方の部材は、一端が前記ケースの外に臨み、前記リールの軸心方向に延びる軸部材の他端側に取付けられて、前記一方の部材の下側に位置し、前記付勢部材により常時は前記第１の位置に位置して前記一方に係合していることを特徴とする、塗膜転写具。
【請求項７】
請求項６記載の塗膜転写具において、前記一方は前記係止部材であり、前記他方が前記ラチェットであることを特徴とする、塗膜転写具。
【請求項８】
請求項１乃至７記載の塗膜転写具において、前記逆転防止機構は前記供給リールの逆転を防止することを特徴とする、塗膜転写具。
【請求項９】
請求項３記載の塗膜転写具において、前記ラチェットの歯は、該ラチェットの外周面上に該ラチェットの径方向外方に突出して形成され、前記係止部材の係止爪は、前記ラチェットの外周面に向かって突出していることを特徴とする、塗膜転写具。
【請求項１０】
請求項９に記載の塗膜転写具において、前記逆転防止機能解除手段は、前記ラチェットと前記係止爪の少なくともいずれか一方を、前記ラチェットが広がる平面に沿って移動可能とすることを特徴とする、塗膜転写具。
【請求項１１】
請求項９に記載の塗膜転写具において、前記逆転防止機能解除手段は、前記ラチェットと前記係止爪の少なくともいずれか一方を、前記ラチェットが広がる平面に垂直な方向へ移動可能とすることを特徴とする、塗膜転写具。
【発明の詳細な説明】
【技術分野】
【０００１】
本発明は塗膜転写具に関する。さらに詳細に言えば、例えばラチェットとそれに係止する係止爪とで構成される逆転防止機構を備えた塗膜転写具に関する。
【背景技術】
【０００２】
従来から修正用の塗膜或いは糊などの塗膜を有するテープを備えた塗膜転写具が使用されている。この塗膜転写具では、テープを供給する側の供給リールと、テープを巻き取る側の巻取りリールとを備え、転写ヘッドを紙面などに押付けて転写具を移動させ、これによりテープを供給リールから繰出すと共に供給リールを回転させ、供給リールと巻取りリールとにそれぞれ一体的にに設けた歯車を噛合わせることにより同時に巻取りリールを回転させてテープの使用済み部分を巻き取るようになっている。そして、例えばケースの内面にラチェットを形成し、それに係合する係止爪を供給リールに一体的に設け、供給リール及び巻取りリールの逆転防止を図っている。
【０００３】
このラチェットと係止爪からなる逆転防止機構では、供給リールの正転時即ちテープを供給する方向に回転する際には、係止爪のアーム部分が弾性変形することにより係止爪がラチェットの歯の斜面に沿って上方へ移動してその歯を乗越え、次の歯との間の谷間に落下し、さらに次の歯の斜面に沿って移動する。従って、この転写具を使用する際には、係止爪が谷間に落下する際に係止爪がラチェットの歯に衝突し、使用中に「カチ、カチ」と連続音がする。
【０００４】
この音は極端に大きいわけではない。従って通常は余り気になるものではないが、例えば図書館の中のように静寂な場所では大きく響き、周囲の人の迷惑になる。ところで、逆転防止機能を果たすためには、正転が終了した時点で係止爪がラチェットの歯に係止すれば足り、正転中には接触を保つ必要性は必ずしもない。
【特許文献１】特開２００２−８６９８６号公報
【発明の開示】
【発明が解決しようとする課題】
【０００５】
本願発明は上記従来に問題点に鑑みなされたものであり、使用中においても必要な場合には、逆転防止機構の逆転防止機能を解除して音が発生しないようにすることができる、逆転防止機構付きの塗膜転写具具を提供することをその課題とする。
【課題を解決するための手段】
【０００６】
上記課題を解決するために、本発明に係る塗膜転写具においては、ケースと、該ケース内に回動可能に支承されたテープ供給リールと、ケース内に回動可能に支承され、テープ供給リールに連動して回動するテープ巻取りリールと、テープ供給リールとテープ巻取りリールとの少なくともいずれか一方に関連して設けられ、該リールの正転を許容し、逆転を阻止する逆転防止機構とを設け、さらに、この逆転防止機構の逆転防止機能を解除する逆転防止機能解除手段を設けた。
【発明の効果】
【０００７】
上記の通り、リールの逆転防止機構を設けると共に、その逆転防止機構の逆転防止機能を解除する解除手段を設けたので、通常は逆転防止機構を作用させて逆転を防止しながら使用する一方、静寂を要求される場合などには、テープ繰出し時に逆転防止機能を解除して音の発生を防止し、テープ繰出し終了時には直ちに逆転防止機能を作用させて逆転を防止することができる。
【発明を実施するための最良の形態】
【０００８】
以下、図面を参照しながら本願発明の実施の形態を説明する。図１は本願発明の実施の形態に係る塗膜転写具１を示し、本発明の要旨に直接の関連を有しない部材を省略して示した縦断面図、図２はさらに一部部材を省略して示した平面図、図３は本発明の要旨に直接の関連を有する部材の分解斜視図である。
【０００９】
図において符号３はケースであり、ケース上５（図２では図示省略）とケース下７とで構成される。符号９は転写ヘッドであるが、公知のものを採用可能であり、その詳細な説明は省略する。
【００１０】
次にテープ（図示省略）の供給側について説明する。符号１１はラチェット（図３では片側半分のみ図示してある）であり、上面側にラチェットの歯１４が上向きに突出した状態で、円周方向所定の間隔で刻まれた円環部１３と、径方向に延び、円周方向所定の間隔、本実施の形態では９０度間隔で４本設けられたリブ１５によりこの円環部１３と結合された中央の軸部１７とを備えている。
【００１１】
軸部１７は上側が閉じて下側が開口した中空軸であり、上側の丈の短い小径部１８と、下側の丈の長い大径部１９とからなり、上側の小径部１８が図示のようにケース上５に形成された孔５ａにゆるい嵌合で嵌って、上に僅かに突出している。大径部１９の内周には、小径部１８との間に形成される肩部２０の下から下方へ所定の位置まで伸びる、円周方向所定の間隔、本実施の形態では９０度間隔で４本のリブ２１が形成されている。そして大径部１９の中で、リブの下側端部とケース下７の内側面との間に圧縮バネ２３が配設され、ラチェット１１を上向きに付勢しており、ラチェット１１はその軸部１７の肩部２０の上面２０ａがケース上５の内面に当接した状態で保持されている。
【００１２】
符号２５は、内部にラチェット１１の軸部１７の大径部１９を軸方向移動可能に収受することとなるガイド筒であり、軸部２６と下側の幅、丈ともに短いフランジ２７とを備えている。このガイド筒２５は図３からわかる通り、円周方向において等間隔４箇所において、図３に符号２８で示される隙間に相当する短い部分がカットされて４つの部分２５ａ、ｂ、ｃ、ｄに分割されており、それぞれの部分２５ａ、ｂ、ｃ、ｄがラチェット１１の円環部１３と軸部１７とを繋ぐリブ２１の間に嵌っている。即ちリブ２１が部分２５ａ、ｂ、ｃ、ｄの隣合う二つの間の隙間２８を通っている。ガイド筒２５のフランジ２７がケース下７の内側面上に載り、軸部２６の上端は、ケース上５の孔５ａと同心に形成された下向きの短い筒部５ｂの内側に嵌り、回転しないようになっている。従ってラチェット１１も回転しない。
【００１３】
符号２９は、供給側ギヤである。供給側ギヤ２９は、外周部に歯型３２（図３においては図示省略）が形成された円環状の歯車部３１と、中央の本体部３３と、これら両者を繋ぐ円周方向等間隔に４本形成された、径方向に延びるリブ３５とを備えている。本体部３５には、上向きに内側筒部３７と、外側筒部３９とが同心に形成され、両者の間に円環状のスペース４１が画成されている。供給側ギヤ２９は、内側筒部３７が前述のガイド筒２５の外側に回転可能に嵌り、内側筒部３７がガイド筒２５のフランジ２７の上に載り、歯車部３１の歯型３２が形成されていない内側部分がケース下７の内側面に上向きに突出して形成された支持部７ａの上に載って支持されている。
【００１４】
符号４３は係止部材であり、４本のリブ３５のうちの１本３５ａから、径方向で前述のラチェット１１の歯１４に対応する位置で、円周方向に所定の長さで延びるアーム４５を備え、アーム４５の先端には下向きに突出した爪部４７が形成されている。これらの形状は公知であるので、これ以上の説明は省略する。即ち、アーム４５は弾性変形が可能であり、爪部４７はラチェット１１の歯１４に係合可能である。歯１４の形状は円周方向で片側の斜面は緩やかに、他方の面は急勾配例えば９０度に直立しており、図２においてギヤ２９が時計方向に回転したときには爪部４７はその緩やかな方の斜面に沿って移動してこれを順次乗越え、反時計方向に回転しようとすると、爪部４７が反対側の急な面に当たって回転が阻止されるようになっている。これも公知であるので、これ以上の説明は省略する。
【００１５】
符号４９は供給リール（図２においては図示を省略）であり、上側端部で繋がった内側筒部５１と外側筒部５３と、下側筒部５３の下端部から径方向外方へ広がるフランジ５５とを備えている。図示の通り内側筒部５１と外側筒部５３とはそれぞれ供給側ギヤ２９の内側筒部３７と外側筒部３９の外側にきつめに嵌り、これにより供給側ギヤ２９と供給リール４９とは通常は一体に回転するようになっているが、一方に抵抗がかかると両者はスリップするようになっている。フランジ５５の上には塗膜テープの未使用部分が嵌っている（図示省略）。
【００１６】
次に巻取り側に付いて説明すると、符号５７は巻取りリールであり、下側の連結部６２で繋がった内側筒部５９と外側筒部６１とを備え、その内側筒部５９がケース下７の内側面に設けられた中空の軸７ｂに回転可能に嵌り、連結部６２が軸７ｂの下端部において径方向外方へ広がった肩部７ｃに載って支持されている。外側筒部６２の下端部には、連結部６２の上側で径方向外方へ広がるフランジ６３が形成され、ここに外側筒部６１に巻き付けられた塗膜テープの使用済み部分が載るようになっている。そして連結部６２の外周部には、供給側ギヤ２９の歯車部３１と噛合う歯車部６５が形成されている。
【００１７】
上記構成の塗膜転写具１の使用方法は従来の転写具と同様であり、ヘッド９を紙面上の修正部分等に押付けた状態で転写具１を移動させると、テープが引出され、供給リール４９が回転し、歯車部３１、６５の噛合いにより巻取りリール５７が回転してテープを巻き取る。この時の供給リール４９の回転は正転であり、その回転方向は図２において時計回りであり、この場合、前述のとおり、係止部材４３の爪部４７はアーム部４５が弾性変形することによりラチェット１１の歯１４の上を移動して行く。そして反対方向の回転即ち逆転は、前述した通り阻止される。
【００１８】
上記の転写具１において、通常の使用状態では、係止部材４３の爪部４７がラチェット１１の歯１４に接触しながら移動するので、従来例に関連して説明した通り、使用中即ち正転時に音が発生する。しかし前述した通り、ラチェット１１はバネ２３により図２に示す位置に保持されているが、このバネ２３の力に抗して軸部１７を図２において下側に押すと、ラチェット１１の歯１４は下側へ移動し、この状態では爪部４７が歯１４から離れてしまうので、音がしない。すなわち、指先で軸部１７を押すことにより逆転防止機能は解除され、その状態で使用すれば、音は発生しなくなる。勿論指先を離せば再度逆転防止機能は正常に働くようになる。
【００１９】
なお、上記の実施の形態では、係止部材を供給側ギヤに一体的に設け、ラチェットをその下側に供給側ギヤと同心で上下動可能に設けたが、ラチェットを供給側ギヤに一体的に設けてもよい。また、ラチェットの歯を側面上ではなく外周上に形成し、係止爪をそれに係合可能に設け、径方向外方へ、或いは上下方向に移動させて係合を外すようにしても良い。
【図面の簡単な説明】
【００２０】
【図１】本発明の実施の形態に係る塗膜転写具の縦断面図である。
【図２】一部の部材を除いて示した平面図である。
【図３】逆転防止機構及び解除手段の主要部材の関係を示す分解斜視図である。
【符号の説明】
【００２１】
１  塗膜転写具
３  ケース
１１  ラチェット
１３  円環部
１４  歯
１７  軸部
２３  バネ
２９  供給側ギヤ
４３  係止部材
４５  アーム
４７  爪部
４９  供給リール
５７  巻上げリール
【図１】
2005081725.tif 000003
【図２】
2005081725.tif 000004
【図３】
2005081725.tif 000005